(57)【要約】【課題】高音質な着信メロディを再生可能なハンズフリー通話システムを提供すること。【解決手段】無線通話用装置１１を持たない状態で通話を行うためのハンズフリー通話システム１０であり、メディアの記憶情報に基づき楽曲を再生するソースと、着信メロディをソースで再生される楽曲の中から選択して設定するための着信メロディ設定手段３３，３４と、着信メロディ設定手段３３，３４により設定された着信メロディに関する情報を記憶する着信メロディ情報記憶手段４１と、無線通話用装置１１の着信を検知する着信検知手段３３と、無線通話用装置１１の着信を検知した場合、着信メロディ情報記憶手段４１に記憶の着信メロディ情報に基づいて、ソースに指令を与えて着信メロディを再生させ、スピーカ２２から出力させる着信メロディ再生制御手段３３と、を具備する。【選択図】  図１
2004201249.tif 000002
【特許請求の範囲】
【請求項１】
無線通話用装置を手に持たない状態で通話を行うためのハンズフリー通話システムにおいて、
上記無線通話用装置とは別体的であると共に、楽曲を再生するためのソースと、
上記無線通話用装置に着信があった場合に再生する着信メロディを、上記ソースで再生される楽曲の中から選択して設定するための着信メロディ設定手段と、
上記着信メロディ設定手段により設定された着信メロディに関する情報を記憶するための着信メロディ情報記憶手段と、
上記無線通話用装置での着信を検知する着信検知手段と、
上記着信検知手段により、上記無線通話用装置の着信を検知した場合に、上記着信メロディ情報記憶手段に記憶されている着信メロディ情報に基づいて、上記ソースに指令を与えて着信メロディを再生させ、スピーカからその着信メロディを出力させる着信メロディ再生制御手段と、
を具備することを特徴とするハンズフリー通話システム。
【請求項２】
前記ソースは複数設けられていると共に、前記着信メロディ設定手段では、まず着信メロディとして再生するためのソースを選択し、このソース選択の後に、該ソースにある前記メディアから着信メロディとして再生するための楽曲を選択することを特徴とする請求項１記載のハンズフリー通話システム。
【請求項３】
前記着信メロディ設定手段では、特定の電話番号に対応させた着信メロディの設定を可能としていて、
この特定の電話番号からの着信があった場合に、該特定の電話番号に特有の着信メロディを再生させるためのソースを選択可能としていると共に、
この特定の電話番号に対応させたソース選択の後に、該ソースにある前記メディアから着信メロディとして再生するための楽曲を選択可能としていることを特徴とする請求項２記載のハンズフリー通話システム。
【請求項４】
前記着信メロディ設定手段では、複数の前記特定の電話番号の夫々に対応させた着信メロディの設定が可能となっていて、
これら複数の前記特定の電話番号毎に、前記ソースを夫々選択可能としていると共に、
夫々の前記特定の電話番号に対応させたソースの選択の後に、夫々の前記特定の電話番号毎に、前記楽曲を夫々選択可能としていることを特徴とする請求項３記載のハンズフリー通話システム。
【請求項５】
前記着信メロディ設定手段では、前記ソースにある前記メディアから着信メロディとして再生するために選択された楽曲のうち、その楽曲のうち着信メロディとして使用する部分の開始アドレスまたは終了アドレスのうち少なくとも一方を設定可能としていることを特徴とする請求項２または３記載のハンズフリー通話システム。
【請求項６】
前記ソースは、車載用音響機器内に配置されていることを特徴とする請求項１から５のいずれか１項に記載のハンズフリー通話システム。
【請求項７】
無線通話用装置を手に持たない状態でハンズフリー通話を行うためのハンズフリー通話システムにおける着信音の設定方法であって、
楽曲を再生するソースであって、上記無線通信用装置とは別体的なソースのうちから、上記無線通話用装置に着信があった場合に、着信メロディとして再生する楽曲を有するソースを選択するソース選択ステップと、
上記ソース選択ステップにより選択された特定のソースを、メモリのソース記憶エリアに記憶させるソース情報記憶ステップと、
上記ソース情報記憶ステップによりソースが記憶された後に、このソースが有する楽曲のうちから着信メロディとして再生するものを選択する着信メロディ選択ステップと、
上記着信メロディ選択ステップにより選択された着信メロディに関する情報を、上記メモリの着信メロディ記憶エリアに記憶させる着信メロディ情報記憶ステップと、
を具備することを特徴とするハンズフリー通話システムにおける着信音の設定方法。
【請求項８】
前記着信メロディ情報記憶ステップは、
前記着信メロディ選択ステップにおいて着信メロディとして選択された楽曲のうち、着信メロディとして再生が開始される楽曲の演奏開始位置を指定する開始アドレス情報を、前記メモリの開始アドレス情報記憶エリアに記憶可能としていることを特徴とする請求項７記載のハンズフリー通話システムにおける着信音の設定方法。
【請求項９】
前記着信メロディ情報記憶ステップは、
前記着信メロディ選択ステップにおいて着信メロディとして選択された楽曲のうち、着信メロディとして再生が終了する楽曲の演奏終了位置を指定する終了アドレス情報を、前記メモリの終了アドレス情報記憶エリアに記憶可能としていることを特徴とする請求項７または８記載のハンズフリー通話システムにおける着信音の設定方法。
【請求項１０】
前記ソース選択ステップでは、特定の電話番号に対応させる着信メロディを有する前記ソースの選択を可能としていると共に、
前記ソース情報記憶ステップでは、上記特定の電話番号に対応させる着信メロディを有する前記ソースを、前記特定の電話番号と対応付けて記憶可能としていて、
前記着信メロディ選択ステップでは、前記ソース情報記憶ステップによりソースが記憶された後に、このソースが有する楽曲のうちから上記特定の電話番号に対応させて着信メロディとして再生するものを選択し、
前記着信メロディ情報記憶ステップでは、前記着信メロディ選択ステップで選択された、上記特定の電話番号に対応させて再生する着信メロディに関する情報を、上記特定の電話番号と対応付けて前記メモリの着信メロディ記憶エリアに記憶させるものであることを特徴とする請求項７から９のいずれか１項に記載のハンズフリーシステムにおける着信音の設定方法。
【請求項１１】
前記ソース選択ステップでは、複数の前記特定の電話番号の夫々に対応させる着信メロディを有する前記ソースの選択を可能としていると共に、
前記ソース情報記憶ステップでは、複数の前記特定の電話番号に対応させる着信メロディを有する前記ソースを、複数の前記特定の電話番号の夫々と対応付けて記憶可能としていて、
前記着信メロディ選択ステップでは、前記ソース情報記憶ステップにより前記特定の電話番号に対するソースが記憶された後に、このソースが有する楽曲のうちから、その前記特定の電話番号の夫々に対応させて着信メロディとして再生するものを選択し、
前記着信メロディ情報記憶ステップでは、前記着信メロディ選択ステップで選択された再生する着信メロディに関する情報を、複数の前記特定の電話番号の夫々と対応付けて前記着信メロディ記憶エリアに記憶させるものであることを特徴とする請求項１０記載のハンズフリーシステムにおける着信音の設定方法。
【請求項１２】
無線通話用装置を手に持たない状態でハンズフリー通話を行うためのハンズフリー通話システムにおける着信音の再生方法であって、
上記無線通話用装置に着信があった場合に、現在再生しているソースにおける再生に関する情報を、メモリのバックアップ情報記憶領域に記憶させるバックアップステップと、
上記バックアップステップの後に、楽曲を再生する複数のソースのうちから、上記無線通話用装置に着信があった場合に、着信メロディとして再生する楽曲を有するソースに切り換えるソース切換ステップと、
上記ソース切換ステップにより切り換えた上記ソース中に存在する着信メロディとして再生する楽曲の再生開始位置となる開始アドレスを検索する開始アドレス検索ステップと、
上記開始アドレス検索ステップにより検索された楽曲について、開始アドレスからの再生を行う再生ステップと、
を具備することを特徴とするハンズフリー通話システムにおける着信音の再生方法。
【請求項１３】
前記再生ステップの後に、
前記無線通話用装置にオンフック操作があったか否かを検出するオンフック操作検出ステップと、
上記オンフック操作検出ステップにより前記無線通話用装置にオンフック操作が検出された場合に、前記ソース切換ステップで切り換えられた着信メロディとして再生する楽曲を有するソースから、前記無線通話用装置へと音声信号再生のソースを切り換えて、該無線通話用装置のハンズフリー通話状態とする通話切換ステップと、
前記無線通話用装置のハンズフリー通話が終了しているか否かを検出する通話終了検出ステップと、
上記通話終了ステップにより、前記無線通話用装置の通話が終了していることが検出された場合に、前記ソース切換ステップによってソースが切り換えられる以前に再生していたソースについての前記バックアップ情報記憶領域に記憶されている再生に関する情報に基づいて、着信がある以前のソースへと切り換えると共に、そのソースを再生するソース復帰ステップと、
を具備することを特徴とする請求項１２記載のハンズフリー通話システムにおける着信音の再生方法。
【発明の詳細な説明】
【０００１】
【発明の属する技術分野】
本発明は、ハンズフリー通話システム、ハンズフリー通話システムにおける着信音の設定方法およびハンズフリー通話システムにおける着信音の再生方法に関する。
【０００２】
【従来の技術】
車中で携帯電話端末を用いる場合、ハンズフリー接続するためのハンズフリー通話システムが用いられている。このハンズフリー通話システムは、例えば携帯電話端末を搭載／固定するハンズフリー通話用の携帯電話固定具を有していて、この携帯電話固定具にコネクタが備えられている。このコネクタは、ケーブルの一端に接続されていて、またケーブルの他端は、ハンズフリー通話に対応する車載用音響機器と接続されている。また、携帯電話端末または車載用音響機器には、音声入力用のマイクが接続される。
【０００３】
以上のような構成により、携帯電話端末に着信があった場合には、設定されている所定の着信音を車載用音響機器に付属のスピーカから出力させることができる。また、通話状態となった場合にも、スピーカから相手方の音声を出力させることができる。また、通話状態においては、自身の音声はマイクから入力することを可能としている。
【０００４】
このように、現状のハンズフリー通話システムは、携帯電話固定具に搭載している携帯電話端末に着信があった場合、この携帯電話端末で設定されている着信音が車載用音響機器に付属のスピーカから出力される構成となっている。
【０００５】
かかるハンズフリー通話システムにおける装置の実行手順を、図１１に示す。この図１１に示すものでは、まず携帯電話端末に着信があるか否かを検出し、検出がある場合には、現在再生しているＣＤ等のディスクに関する情報や、トラックＮｏ、およびそのトラックにおいて再生している時間をメモリに記憶させる。その後、車載用音響機器のソースを、携帯電話端末へと切り換え、さらにオンフック操作が為されていると判断された場合には、ハンズフリー通話状態となる。そして、このハンズフリー通話状態において、通話が終了したか否かを検出し、終了したと判断された場合には、車載用音響機器のソースを、メモリに記憶させておいた以前の再生ソースに戻す。以上のようにして、元の音楽再生状態に戻すと共に、再びハンズフリー通話の待機状態とする。
【０００６】
また、携帯電話端末設定の着信音を車載用音響機器から出力させる従来の例として、特開２００２−４４１８８号公報記載のものがある。この公報記載の従来技術では、携帯電話端末に着信があった場合に、該着信時の呼出音信号が、ＤＳＰを迂回して伝送されるものが開示されている。
【０００７】
【特許文献１】
特開２００２−４４１８８号公報（図１、段落番号００１４、００１７参照）
【０００８】
【発明が解決しようとする課題】
ところで、上述したような従来の構成では、携帯電話端末に着信があった場合に、該携帯電話端末に記録／設定されている着信音しか使用できないものとなっている。このため、使用できる着信音が限られている。また、古い世代の携帯電話端末の中には、所定のベル音のみ再生可能であって、楽曲を着信音とする着信メロディ機能を有していない機種もある。かかる機種においては、好きな着信メロディを使用できない、といった問題もある。
【０００９】
さらに、着信メロディとして使用できるものが、携帯電話端末の機能によって限定されている。すなわち、携帯電話端末の有する回路構成、メモリ等の能力によって、着信メロディとして使用できる楽曲は、その再現性、再生時間等において限定された状態となっている。
【００１０】
また、携帯電話端末の着信メロディは、車載用音響機器において各種メディアに記録されている音楽データを再生する場合と比較して音質が低い。例えば１６和音の再生が可能な携帯電話端末では、再生される着信メロディは１６和音以下に限られ、また４０和音再生可能な携帯電話端末では、再生される着信メロディは４０和音以下に限られる。そのため、車載用音響機器において、演奏中に携帯電話端末に着信があると、着信音の音質の低さが際立つ場合がある。
【００１１】
本発明は、上記の事情に基づきなされたもので、その目的とするところは、着信メロディとして、無線通話用装置以外のソースを使用し、高音質な着信メロディを再生可能なハンズフリー通話システムおよびハンズフリー通話システムにおける着信音の再生方法を提供しよう、とするものである。
また、かかる無線通話用装置以外のソースを使用し、高音質な着信メロディを再生するためのハンズフリー通話システムにおける着信音の設定方法を提供しよう、とするものである。
【００１２】
【課題を解決するための手段】
上述の目的を達成するため、本発明は、無線通話用装置を手に持たない状態で通話を行うためのハンズフリー通話システムにおいて、無線通話用装置とは別体的であると共に、楽曲を再生するためのソースと、無線通話用装置に着信があった場合に再生する着信メロディを、ソースで再生される楽曲の中から選択して設定するための着信メロディ設定手段と、着信メロディ設定手段により設定された着信メロディに関する情報を記憶するための着信メロディ情報記憶手段と、無線通話用装置での着信を検知する着信検知手段と、着信検知手段により、無線通話用装置の着信を検知した場合に、着信メロディ情報記憶手段に記憶されている着信メロディ情報に基づいて、ソースに指令を与えて着信メロディを再生させ、スピーカからその着信メロディを出力させる着信メロディ再生制御手段と、を具備するものである。
【００１３】
また、他の発明は、上述の発明に加えて更に、ソースは複数設けられていると共に、着信メロディ設定手段では、まず着信メロディとして再生するためのソースを選択し、このソース選択の後に、該ソースにあるメディアから着信メロディとして再生するための楽曲を選択することとしたものである。
【００１４】
さらに、他の発明は、上述の発明に加えて更に、着信メロディ設定手段では、特定の電話番号に対応させた着信メロディの設定を可能としていて、この特定の電話番号からの着信があった場合に、該特定の電話番号に特有の着信メロディを再生させるためのソースを選択可能としていると共に、この特定の電話番号に対応させたソース選択の後に、該ソースにあるメディアから着信メロディとして再生するための楽曲を選択可能としているものである。
【００１５】
また、他の発明は、上述の発明に加えて更に、着信メロディ設定手段では、複数の特定の電話番号の夫々に対応させた着信メロディの設定が可能となっていて、これら複数の前記特定の電話番号毎に、ソースを夫々選択可能としていると共に、夫々の特定の電話番号に対応させたソースの選択の後に、夫々の特定の電話番号毎に、楽曲を夫々選択可能としているものである。
【００１６】
さらに、他の発明は、上述の各発明に加えて更に、着信メロディ設定手段では、ソースにあるメディアから着信メロディとして再生するために選択された楽曲のうち、その楽曲のうち着信メロディとして使用する部分の開始アドレスまたは終了アドレスのうち少なくとも一方を設定可能としているものである。
【００１７】
また、他の発明は、上述の発明に加えて更に、ソースは、車載用音響機器内に配置されているものである。
【００１８】
さらに、他の発明は、無線通話用装置を手に持たない状態でハンズフリー通話を行うためのハンズフリー通話システムにおける着信音の設定方法であって、楽曲を再生するソースであって、無線通信用装置とは別体的なソースのうちから、上記無線通話用装置に着信があった場合に、着信メロディとして再生する楽曲を有するソースを選択するソース選択ステップと、ソース選択ステップにより選択された特定のソースを、メモリのソース記憶エリアに記憶させるソース情報記憶ステップと、ソース情報記憶ステップによりソースが記憶された後に、このソースが有する楽曲のうちから着信メロディとして再生するものを選択する着信メロディ選択ステップと、着信メロディ選択ステップにより選択された着信メロディに関する情報を、メモリの着信メロディ記憶エリアに記憶させる着信メロディ情報記憶ステップと、を具備するものである。
【００１９】
また、他の発明は、上述の発明に加えて更に、着信メロディ情報記憶ステップは、着信メロディ選択ステップにおいて着信メロディとして選択された楽曲のうち、着信メロディとして再生が開始される楽曲の演奏開始位置を指定する開始アドレス情報を、メモリの開始アドレス情報記憶エリアに記憶可能としているものである。
【００２０】
さらに、他の発明は、上述の各発明に加えて更に、着信メロディ情報記憶ステップは、着信メロディ選択ステップにおいて着信メロディとして選択された楽曲のうち、着信メロディとして再生が終了する楽曲の演奏終了位置を指定する終了アドレス情報を、メモリの終了アドレス情報記憶エリアに記憶可能としているものである。
【００２１】
また、他の発明は、上述の各発明に加えて更に、ソース選択ステップでは、特定の電話番号に対応させる着信メロディを有する前記ソースの選択を可能としていると共に、ソース情報記憶ステップでは、特定の電話番号に対応させる着信メロディを有するソースを、特定の電話番号と対応付けて記憶可能としていて、着信メロディ選択ステップでは、ソース情報記憶ステップによりソースが記憶された後に、このソースが有する楽曲のうちから特定の電話番号に対応させて着信メロディとして再生するものを選択し、着信メロディ情報記憶ステップでは、着信メロディ選択ステップで選択された、特定の電話番号に対応させて再生する着信メロディに関する情報を、特定の電話番号と対応付けてメモリの着信メロディ記憶エリアに記憶させるものである。
【００２２】
さらに、他の発明は、上述の各発明に加えて更に、ソース選択ステップでは、複数の前記特定の電話番号の夫々に対応させる着信メロディを有する前記ソースの選択を可能としていると共に、ソース情報記憶ステップでは、複数の特定の電話番号に対応させる着信メロディを有する前記ソースを、複数の特定の電話番号の夫々と対応付けて記憶可能としていて、着信メロディ選択ステップでは、ソース情報記憶ステップにより特定の電話番号に対するソースが記憶された後に、このソースが有する楽曲のうちから、その特定の電話番号の夫々に対応させて着信メロディとして再生するものを選択し、着信メロディ情報記憶ステップでは、着信メロディ選択ステップで選択された再生する着信メロディに関する情報を、複数の特定の電話番号の夫々と対応付けて着信メロディ記憶エリアに記憶させるものである。
【００２３】
また、他の発明は、無線通話用装置を手に持たない状態でハンズフリー通話を行うためのハンズフリー通話システムにおける着信音の再生方法であって、無線通話用装置に着信があった場合に、現在再生しているソースにおける再生に関する情報を、メモリのバックアップ情報記憶領域に記憶させるバックアップステップと、バックアップステップの後に、楽曲を再生する複数のソースのうちから、無線通話用装置に着信があった場合に、着信メロディとして再生する楽曲を有するソースに切り換えるソース切換ステップと、ソース切換ステップにより切り換えたソース中に存在する着信メロディとして再生する楽曲の再生開始位置となる開始アドレスを検索する開始アドレス検索ステップと、開始アドレス検索ステップにより検索された楽曲について、開始アドレスからの再生を行う再生ステップと、を具備するものである。
【００２４】
さらに、他の発明は、上述の発明に加えて更に、再生ステップの後に、無線通話用装置にオンフック操作があったか否かを検出するオンフック操作検出ステップと、オンフック操作検出ステップにより無線通話用装置にオンフック操作が検出された場合に、ソース切換ステップで切り換えられた着信メロディとして再生する楽曲を有するソースから、無線通話用装置へと音声信号再生のソースを切り換えて、該無線通話用装置のハンズフリー通話状態とする通話切換ステップと、無線通話用装置のハンズフリー通話が終了しているか否かを検出する通話終了検出ステップと、通話終了ステップにより、無線通話用装置の通話が終了していることが検出された場合に、ソース切換ステップによってソースが切り換えられる以前に再生していたソースについてのバックアップ情報記憶領域に記憶されている再生に関する情報に基づいて、着信がある以前のソースへと切り換えると共に、そのソースを再生するソース復帰ステップと、を具備するものである。
【００２５】
【発明の実施の形態】
以下、本発明の一実施の形態について、図１から図１０に基づいて説明する。図１は、本発明のハンズフリー通話システム１０の概略構成を示すブロック図である。この図に示す状態において、無線通話用装置としての携帯電話端末１１の接続用インタフェース１２には、所定形状のコネクタ１３が差し込まれている。このコネクタ１３は、ケーブル１４に連結されていて、携帯電話端末１１は、このケーブル１４を介して車載用音響機器２０側の接続端子２１に接続される。
【００２６】
なお、このコネクタ１３は、所定形状の携帯電話固定具（不図示）に設けられている。すなわち、携帯電話端末１１を携帯電話固定具に対して所定配置で搭載すると、コネクタ１３と接続用インタフェース１２が接続状態となる。また、かかるコネクタ１３、ケーブル１４を用いる構成とはせずに、コードレス電話のように携帯電話端末１１と車載用音響機器２０との間で、無線通信するように構成しても良い。
【００２７】
また、ハンズフリー通話システム１０は、車載用音響機器２０で用いられるスピーカ２２を用いて、着信メロディや相手方の音声を出力する。これと共に、携帯電話端末１１には、マイク装置２３が接続されている。マイク装置２３は、運転中にユーザがハンズフリー通話を可能とするために、車内の所定位置に取り付けられている。そして、ユーザが発した音声を集音し、その音声データを携帯電話端末１１に伝送するものである。
【００２８】
次に、ハンズフリー通話システム１０のうち、主に車載用音響機器２０の構成について説明する。
【００２９】
図１における車載用音響機器２０は、増幅器２４と、セレクタ２５と、スイッチ２６と、コーデック（CODEC）２７と、ＤＳＰ（Digital Signal Processor）２８と、コーデック２９と、音量制御部３０と、増幅器３１とを具備している。このうち、増幅器２４は、マイク装置２３からの音声信号を、増幅器２４を経て増幅してセレクタ２５側に送信する。
【００３０】
また、セレクタ２５には、マイク装置２３および増幅器２４を経た音声信号のみならず、オーディオ信号源３２からの音声信号も入力される。そして、セレクタ２５は、これら増幅器２４を経たマイク装置２３からの音声信号、またはオーディオ信号源３２からの音声信号のいずれかを選択的にコーデック２７側に送信する。なお、オーディオ信号源３２がデジタル出力を行う場合、該オーディオ信号源３２からのデジタル信号は、セレクタ２５に入力されずに、ＤＳＰ２８に入力されることとなる。
【００３１】
また、スイッチ２６では、携帯電話端末１１からの音声信号の入力を切換可能となっている。この携帯電話端末１１の着信時には、該携帯電話端末１１の着信メロディ（着信音）がコーデック２７側に入力されないように、スイッチ２６はオフとなる。しかしながら、後述するオンフック操作が為された後のハンズフリー通話時には、スイッチ２６はオンとなるように切り換えられる。
【００３２】
コーデック２７では、入力されたアナログの音声信号を、デジタル信号に変換する。そして、コーデック２７で変換されたデジタル信号は、ＤＳＰ２８に入力され、エコーキャンセル処理や、ノイズキャンセル処理等のハンズフリー処理を行う。また、ＤＳＰ２８から出力されたデジタル信号は、コーデック２９に入力されてアナログ信号に変換され、その後に携帯電話端末１１または音量制御部３０に入力される。そして、音量制御部３０に入力されたアナログ音声信号は、音量制御が為された後に、スピーカ２２に到達する。そして、このスピーカ２２では、アナログ音声信号に基づいた音声を出力する。
【００３３】
また、車載用音響機器２０は、制御部３３を有している。制御部３３は、ハンズフリー通話システム１０の全体を制御するものであり、例えばＭＰＵ（Micro Processing Unit）が用いられている。この制御部３３は、携帯電話端末１１に着信があった場合に、該携帯電話端末１１から発せられる着信信号を受信する。その着信信号に基づいて、制御部３３は、オーディオ信号源３２に対して制御指令を与える。すなわち、制御部３３が携帯電話端末１１から着信信号を受信した場合、この着信信号に基づいて、メモリ４０の着信メロディ情報記憶領域４１（図２参照）に記憶されている情報を引き出し、この情報に基づいてオーディオ信号源３２を作動させる指令を与える。
【００３４】
また、車載用音響機器２０には、操作スイッチ３４が設けられていて、この操作スイッチ３４の操作による指令が、制御部３３に伝達される。そして、制御部３３では、かかる操作スイッチ３４の操作による指令に基づいて、各種部材の制御を行うことが可能となっている。
【００３５】
なお、制御部３３と、操作スイッチ３４とによって、着信メロディ設定手段が構成されている。また、メモリ４０の着信メロディ情報記憶領域４１は、着信メロディ情報記憶手段としての機能を果たす。また、制御部３３は、上述したように携帯電話端末１１の着信を検知することも可能であり、かかる検知を行うことで、着信検知手段としての機能をも果たす。
【００３６】
また、各種ソースを有するオーディオ信号源３２、セレクタ２５、制御部３３が、着信メロディ再生制御手段としての機能を果たす。
【００３７】
メモリ４０の着信メロディ情報記憶領域４１に記憶されている情報としては、例えばどのソースを用いるのか、そのソースのうちどの楽曲を着信メロディとして用いるのか、といった、着信メロディに関する情報である。このメモリ４０に記憶される情報の一例を、図２に示す。この図２に示すメモリ４０のうち、着信メロディ情報記憶領域４１には、ソース記憶エリア５０と、開始アドレス記憶エリア５１と、終了アドレス記憶エリア５２とが設けられている。そして、これら各記憶エリア５０〜５２に記憶されている情報に基づいて、携帯電話端末１１に着信があった場合に、該着信メロディを再生する。
【００３８】
また、オーディオ信号源３２では、メモリ４０のバックアップ情報記憶領域４２に、現在演奏しているソースに関する情報（例えば、現在使用しているのがＣＤ再生部である場合、かかるＣＤのディスクＮｏ、トラッキングＮｏ、演奏時間等）をバックアップ情報記憶領域４２に退避させる。そして、通話が終了した後の再演奏に備えるようにする。
【００３９】
なお、メモリ４０は、例えば揮発性の半導体メモリが用いられ、例えばエンジンオフとなっても、次回からの演奏に備えて情報記憶用の微弱電流を導通させている。しかしながら、メモリ４０は揮発性の半導体メモリには限られず、不揮発性の半導体メモリや他のメモリ（例えば磁気記憶、光記憶等）を用いるようにしても良い。また、本実施の形態では、メモリ４０の着信メロディ情報記憶領域４１と、バックアップ情報記憶領域４２とを、１つのメモリ４０内に設ける構成としているが、これら各領域に対して、夫々別のメモリを用いるようにしても良い。また、メモリ４０は、ＤＳＰ２８のデータ処理系統における内部メモリ（不図示）としても良いし、ＤＳＰ２８とは別体となるように設けても良い。
【００４０】
また、制御部３３は、ＤＳＰ２８に接続されていて、操作スイッチ３４からの指令を伝達可能となっている。さらに、制御部３３は、セレクタ２５に接続されている。それにより、制御部３３は、セレクタ２５を制御して、入力信号（オーディオ信号源３２からの音声信号とマイク装置２３からの音声信号）の切り替え制御を行える。また、制御部３３は、スイッチ２６に接続されている。それにより、制御部３３は、スイッチ２６のオン／オフの切り換えを制御して、携帯電話端末１１からの着信メロディ（着信音）が入力しないようにすることができる。また、制御部３３は、音量制御部３０に接続されていて、スピーカ２２から出力される音量の制御を行うことを可能としている。
【００４１】
以上の構成を有するハンズフリー通話システム１０の動作について、以下に説明する。最初に、携帯電話端末１１への着信があった場合に再生される着信メロディを設定するための手順（ステップ）について、図３および図４により示されるフローチャートに基づいて説明する。
【００４２】
かかる設定を行うため、設定操作開始後に、まず制御部３３は、車載用音響機器２０が着信メロディ選択モードとなっているか否か、判断する（ステップＳ１）。そして、着信メロディ選択モードであると判断された場合（ステップＳ１でＹｅｓの場合）には、着信メロディに設定するソースの選択を行う（ステップＳ２；ソース選択ステップ）。次に、制御部３３は、メモリ４０の中のソース記憶エリア５０に、選択されたソースを記憶させる（ステップＳ３；ソース情報記憶ステップ）。
【００４３】
なお、ステップＳ１において、着信メロディ選択モードとなっていないと判断された場合（Ｎｏの場合）には、図４のＡへと進行し、ステップＳ２以降の手順を終了する。
【００４４】
このステップＳ３におけるソース記憶の後に、制御部３３は、該ソース内において着信メロディとして設定する楽曲の選択を行う（ステップＳ４；ソース選択ステップの一部）。続いて、楽曲の選択が終了したか否かの判断を行ない（ステップＳ５）、選択が終了したと判断された場合（Ｙｅｓの場合）には、さらにその選択した楽曲の一部分のみを着信メロディとして選択するのか否かを判断する（ステップＳ６；ソース選択ステップの一部）。すなわち、選択した楽曲のうち、例えばいわゆる楽曲のサビの部分のみを選択した場合等、楽曲の一部分のみを選択したか否かの判断を行う。
【００４５】
なお、ステップＳ５において、楽曲の選択が終了していないと判断された場合（Ｎｏの場合）には、再びステップＳ４に戻り、着信メロディに設定する楽曲の選択を継続する。
【００４６】
ステップＳ６において、楽曲の一部分のみを選択したと判断された場合（Ｙｅｓの場合）、着信メロディとして選択した楽曲の再生を行う（ステップＳ７）。続いて、その再生が終了したか否かを検出し（ステップＳ８）、再生がまだ終了していないと判断された場合（Ｎｏの場合）には、続いてクリック操作を行ったか否かの判断を行う（ステップＳ９）。このクリック操作においては、操作スイッチ３４のうち、楽曲の記憶用に用いられるスイッチ（詳細不図示）があり、かかる不図示の楽曲記憶用のスイッチのクリック操作により、楽曲の開始または終了アドレスの記憶が実行される。
【００４７】
しかしながら、例えば車載用音響機器２０と連動する映像装置やナビゲーション装置のタッチパネルを使用して、該タッチパネルの有するタッチスイッチを押すことにより、記憶させたい楽曲の開始または終了アドレスの記憶を実行する等、着信メロディの設定操作は、種々変形可能である。
【００４８】
上述のステップＳ９において、クリック操作があったと判断された場合（Ｙｅｓの場合）には、続いてクリック操作が１回目であるか否かの検出を行う（ステップＳ１０）。この検出において、１回目であると判断された場合（Ｙｅｓの場合）には、開始アドレス記憶エリア５１に、楽曲の中途から開始される場合の開始アドレス情報を記憶させる（ステップＳ１１；着信メロディ情報記憶ステップの一部）。すなわち、１回目のクリック操作においては、楽曲の中途からの開始アドレスを、開始アドレス記憶エリア５１に記憶するように設けられている。そして、この開始アドレス記憶エリア５１へのアドレス情報記憶後に、再びステップＳ８に戻って再生が終了したか否かを検出する。
【００４９】
なお、楽曲の最初の一部を記憶させたい場合には、ステップＳ７が開始される前にクリック操作を行うことで実行される。また、ステップＳ９において、クリック操作が為されていないと判断された場合（Ｎｏの場合）には、ステップＳ８の再生終了か否かの判断ステップに戻り、ステップＳ８からステップＳ９へ至る判断を継続する。
【００５０】
また、ステップＳ１０において、クリック操作が１回目でないと判断された場合（Ｎｏの場合；すなわちクリック操作が２回目以降である場合）には、図４のＤへと進行し、終了アドレス記憶エリア５２に、楽曲の中途での終了アドレス情報を記憶させる（ステップＳ１２；着信メロディ情報記憶ステップの一部）。すなわち、１回目のクリック操作は、中途からの開始アドレス記憶用、２回目以降（主に２回目）のクリック操作は、中途での終了アドレス記憶用となっている。
【００５１】
それにより、着信メロディとしての楽曲の中途からの開始アドレス情報と、中途での終了アドレス情報とが、夫々開始アドレス情報記憶エリア５１と終了アドレス情報記憶エリア５２とに記憶されることとなる。
【００５２】
このステップＳ１２に続いて、クリック操作回数がクリアされ（ステップＳ１３）、さらに続いて着信メロディの再生が停止される（ステップＳ１４）。この後に、ソースを、着信メロディ設定以前のものに戻すことにより（ステップＳ１５）、一連の着信メロディ設定操作が終了する。このようにして、楽曲の一部のみを着信メロディとして設定する場合でも、その設定が為されたこととなる。
【００５３】
また、上述したステップＳ８にて、再生が終了したと検出された場合（Ｙｅｓの場合）には、図４のＣへと進行し、クリック回数が１回であるか否か（クリック回数＝１？）の判断を行う（ステップＳ２０）。このクリック回数が１回であるか否かの判断において、１回であると判断された場合（Ｙｅｓの場合）には、楽曲の中途から最終位置までを着信メロディとして用いることとなる。そのため、終了アドレス記憶エリア５２に、再生した楽曲の最終アドレス情報を記憶させる（ステップＳ２１；着信メロディ情報記憶ステップの一部）。それにより、着信メロディとしての楽曲の中途の開始アドレス情報と、楽曲の最終アドレス情報とが、夫々開始アドレス記憶エリア５１と終了アドレス記憶エリア５２に記憶される。
【００５４】
なお、この場合は、クリック操作による開始アドレス情報のみが予め記憶されている。かかる場合、楽曲の再生が終了するまで、次のクリック操作が為されておらず、最終アドレス情報が記憶されない状態となっている。そのため、楽曲の再生終了後に、演奏終了位置を最終アドレス情報として自動的に記憶することとなる。
【００５５】
続いて、クリック操作回数がクリアされ（ステップＳ２２）、このクリアの後にステップＳ１５へと進み、ソースを、着信メロディ設定以前のものに戻す。なお、既にステップＳ８にて再生が終了しているので、ステップＳ１４に戻るものとはならない。
【００５６】
また、ステップＳ６において、着信メロディが選択した楽曲の一部ではなく、その楽曲全体であると判断された場合、またはステップＳ２０にて、クリック回数が１回でないと判断された場合（Ｎｏの場合；クリック回数が０回または複数回である場合）には、続いて開始アドレス記憶エリア５１に、着信メロディとして選択した曲の先頭アドレス情報を記憶させる（ステップＳ３０；着信メロディ情報記憶ステップの一部）。
【００５７】
なお、ステップＳ６においてＮｏの場合には、図３と図４とに示されるフローチャートにおいて、図３から図４のＢへと進行することとなる。
【００５８】
ステップＳ３０において、先頭アドレス情報を記憶させた後に、続いて終了アドレス記憶エリア５２に、選択曲の最終アドレス情報を記憶させる（ステップＳ３１；着信メロディ情報記憶ステップの一部）。この後に、クリック操作回数をクリアし（ステップＳ３２）、その後は、上述のステップＳ２２と同様に、ステップＳ１５へと進み、ソースを、着信メロディ設定以前のものに戻す。
【００５９】
ここで、ステップＳ２０において、クリック回数が１回でない場合とは、当初楽曲の一部を着信メロディとして設定しようとしたが、何らかの理由でクリック操作を全く行われず実際には楽曲の途中の開始アドレス情報が、開始アドレス記憶エリア５１に記憶されていない場合（クリック操作が為されていない場合；ステップＳ９においてＮｏの場合）、またはエラーによってクリック回数が０回または複数回とされた場合である。この場合は、ステップＳ６でのＮｏの場合と同様に、指定した楽曲の全体を着信メロディとして設定することとなる。
【００６０】
次に、上述のようにして設定された着信メロディに基づき、着信メロディの再生を行うと共に、ハンズフリー通話を行う際の、ハンズフリー通話システム１０の動作について、図５のフローチャートに基づいて説明する。
【００６１】
まず、制御部３３では、初期設定またはユーザの選択により、スイッチ２６をオフとし、携帯電話端末１１からの着信メロディが車載用音響機器２０に入力されないようにしておく。その後、携帯電話端末１１をコネクタ１３にセットする。制御部３３は、以後、携帯電話端末１１に着信があったか否かを検出する（ステップＳ４０）。そして、この検出において、着信あり（Ｙｅｓ）と判断された場合には、現在使用しているソースに関する情報を、メモリ４０に記憶しておく（ステップＳ４１；バックアップステップ）。このメモリ４０に記憶させる情報としては、例えばソースとしてＣＤ再生部を用いて、ＣＤの再生を行っている場合には、該ＣＤのディスクに関する情報、トラックＮｏ情報、および最新の再生時間情報等である。
【００６２】
なお、ステップＳ４０において、着信なしと判断された場合（Ｎｏの場合）には、再びステップＳ４０の携帯電話端末１１に着信があったか否かの検出を継続する。
【００６３】
この後に、車載用音響機器２０のソースを、図３，４において示されるフローチャートで予め設定されているものに切り替える（ステップＳ４２；ソース切換ステップ）。例えば、ソースとしては、ＣＤやＭＤ、カセットデッキ等といった、音声信号を発生する所定のオーディオ信号源３２がある。なお、これら特定の音声信号を生じるものが、着信メロディとしての認識性を高めるためには好ましいが、例えばＡＭ／ＦＭチューナをオーディオ信号源３２として用いるようにしても良い。
【００６４】
この後に、そのソースにおける着信メロディとして記憶されている楽曲の開始アドレスをサーチする（ステップＳ４３；開始アドレス検索ステップ）。このサーチは、例えばＣＤやＭＤである場合には、そのＣＤやＭＤのトラック情報等に基づいて行われる。そのサーチ後に、楽曲データを着信メロディとして再生する（ステップＳ４４；再生ステップ）。その後、オンフック操作が為されているか否かを判断する（ステップＳ４５；オンフック操作検出ステップ）。ここで、オンフック操作とは、相手方との間で、携帯電話端末１１の接続（通話）が確立した状態とするための操作をいう。
【００６５】
ここで、オンフック操作により、携帯電話端末１１の接続（通話）が確立された場合（Ｙｅｓの場合）、制御部３３は、続いて車載用音響機器２０のソースを、上述のオーディオ信号源３２から携帯電話端末１１に切り替える（ステップＳ４６；通話切換ステップ）。この切り替えは、制御部３３が、スイッチ２６をオンすると共にセレクタ２５からの音声信号の入力を、オーディオ信号源３２側からマイク装置２３側へと切り替えることにより行う。それによって、着信メロディの再生は終了となる。そして、スイッチ２６がオンとなり、かつマイク装置２３側へと切り替えられた状態で、ユーザは、通話の相手方との間でハンズフリー通話が可能となる（ステップＳ４７）。
【００６６】
また、ステップＳ４５において、オンフック操作が為されていないと判断された場合（Ｎｏの場合）には、続いて終了アドレスまで着信メロディの再生が終了したか否かを検出する（ステップＳ５０）。この検出において、再生が終了していると判断された場合（Ｙｅｓの場合）には、再びステップＳ４３に戻り、着信メロディの開始アドレスのサーチ以降の手順を繰り返す。また、終了アドレスまで着信メロディの再生が終了していないと判断された場合（Ｎｏの場合）には、ステップＳ４４の前に戻り、楽曲データの再生を継続する。
【００６７】
ここでハンズフリー通話状態においては、通話が終了したか否かを検出し続ける（ステップＳ４８；通話終了検出ステップ）。そして、通話が終了したと判断される場合（Ｙｅｓの場合）には、制御部３３は、車載用音響機器２０のソースを、ステップＳ４０以前に再生していたものに戻す（ステップＳ４９；ソース復帰ステップ）。この場合、ステップＳ４０以前に、例えばソースとしてＣＤ再生部を用いていた場合には、該ＣＤ再生部をソースとして用いる。そして、メモリに記憶されている情報に基づいて、演奏停止が為された箇所から、再び演奏を再開する。そして、再びステップＳ４０に戻り、携帯電話端末１１に着信があるか否かを検出し続ける待機状態となる（ステップＳ４０）。
【００６８】
また、ステップＳ４８において、通話が終了していないと判断された場合（Ｎｏの場合）には、再びステップＳ４７に戻り、ハンズフリー通話が可能な状態を継続する。なお、制御部３３は、ステップＳ４９で以前に再生されていた状態に戻すと同時に、スイッチ２６をオフとし、携帯電話端末１１からの着信メロディを受け付けない状態に戻す。
【００６９】
以上のような手順（ステップ）に基づいて、本発明の第１の実施の形態に係るハンズフリー通話システム１０は、着信メロディの設定がなされ、また着信時に動作する。なお、初期設定またはユーザの選択によって、事前にスイッチ２６をオンとしておくことで、メモリ４０内のメロディを使用せず、携帯電話端末１１の着信メロディをそのまま利用するようにすることもできる。
【００７０】
このような構成のハンズフリー通話システム１０、かかる手順により実行されるハンズフリー通話システム１０における着信音の設定方法、およびかかる手順により再生されるハンズフリー通話システム１０における着信音の再生方法によれば、携帯電話端末１１に設定されている着信音の代わりに、車載用音響機器２０が具備するソースが有するメディアに記憶されている楽曲を、着信メロディとして設定することが可能となる。
【００７１】
すなわち、携帯電話端末１１の設定によらずに、車載用音響機器２０において選択可能な、種々のソース（ＣＤ再生部、ＭＤ再生部、カセットテープ再生部等）を利用した着信メロディを設定することができる。そのため、携帯電話端末１１の機能に限定されず、着信メロディとして種々の楽曲を利用可能となる。また、着信メロディとして携帯電話端末１１が記憶していないものも、着信メロディとして設定することが可能となる。
【００７２】
さらに、携帯電話端末１１が、古い世代のものであり、所定のベル音のみ再生可能であって、楽曲を着信音とする着信メロディ機能を有していない機種であっても、好きな楽曲を着信メロディとして設定し、着信時に再生させることが可能となる。
【００７３】
また、車載用音響機器２０のうち、選択されたソースが有するメディアに記録されている楽曲を、該ソースを用いて着信メロディとして再生するので、着信メロディの音質が良好なものとなる。すなわち、携帯電話端末１１の有する回路構成、メモリ、またはスピーカといった、該携帯電話端末１１の具備する部品構成の能力に限定されずに、車載用音響機器２０が有する高い部品構成の能力（一般的に、携帯電話端末１１のものよりも高い）によって、着信メロディを再生可能となる。
【００７４】
また、車載用音響機器２０の有するソースによって再生可能なものであれば、どのようなものでも、着信メロディとして再生することが可能となる。また、携帯電話端末１１は、例えば１６和音や４０和音といった具合に、着信メロディとして再生する音質が限定された低いものとなっているが、車載用音響機器２０を利用して着信メロディを再生することにより、高温質な着信メロディを再生し、またかかる高音質な着信メロディの設定をすることが可能となる。
【００７５】
また、着信メロディの設定においては、着信メロディとして選択された楽曲のうち、開始アドレスまたは終了アドレスの、いずれの指定も自由に行えるものとなっている。このため、ユーザが選択した楽曲のうち、好みの部分を着信メロディとして再生することができる。そのため、着信メロディが、ユーザにとって一層好ましい状態で再生可能となる。
【００７６】
また、ハンズフリー通話終了後には、車載用音響機器２０のソースが、バックアップ情報記憶領域４２に記憶されているものに基づいて切り換えられる。そして、車載用音響機器２０から出力される音声が、ハンズフリー通話のための着信メロディ再生開始時点のものに戻される。そのため、ユーザがソースを以前のものに戻すために、特定の操作をわざわざ行ったり設定する必要がなく、ハンズフリー通話後における利便性が向上する。
【００７７】
（第２の実施の形態）
以下、本発明の第２の実施の形態について、図１、および図６から図１０に基づいて説明する。この実施の形態においては、上述した第１の実施の形態におけるハンズフリー通話システム１０と、同様の装置構成を用いている。そのため、図１における符号も、同一のものを用いている。しかしながら、本実施の形態においては、着信メロディを設定する手順、および着信メロディを再生させる手順において、上述の第１の実施の形態とは一部異なるものとなっている。なお、以下の第２の実施の形態の説明においては、上述の第１の実施の形態で述べたのと同一の手順（ステップ）については、同一のステップ番号を付して説明する。
【００７８】
また、本実施の形態では、メモリ４０の内部記憶領域構成が、上述の第１の実施の形態で述べたものと異なっている。本実施の形態においては、メモリ４０の着信メロディ情報記憶領域４１は、図６に示すように、電話番号記憶エリア５３と、ソース記憶エリア５４と、開始アドレス記憶エリア５５と、終了アドレス記憶エリア５６とに分かれている。
【００７９】
このうち、電話番号記憶エリア５３には、電話番号毎に着信メロディを設定する場合の特定の電話番号を、電話番号１から電話番号Ｎ−１（図示省略）までＮ−１個記憶している。ここで、Ｎは、自然数を表している。また、ソース記憶エリア５４には、夫々の特定の電話番号に対応するソース情報を、電話番号１から電話番号Ｎ−１の分だけ、該特定の電話番号に対応付けて記憶している。
【００８０】
さらに、開始アドレス記憶エリア５５には、夫々の特定の電話番号に対応する着信メロディの開始アドレス情報を、電話番号１から電話番号Ｎ−１の分だけ、該特定の電話番号に対応付けて記憶している。また、終了アドレス記憶エリア５６には、夫々の特定の電話番号に対応する着信メロディの終了アドレス情報を、電話番号１から電話番号Ｎ−１の分だけ、該特定の電話番号に対応付けて記憶している。
【００８１】
ここで、特定の電話番号以外の、その他の電話番号を有する電話から着信があった場合には、そのための着信メロディを再生させる必要がある。このため、ソース記憶エリア５４のＮ番目、開始アドレス記憶エリア５５のＮ番目、および終了アドレス記憶エリア５６のＮ番目には、その他の電話番号からの着信があった場合に対応させて、夫々その他の電話番号用のソース情報（ソースＮ）、開始アドレス情報（開始アドレスＮ）、終了アドレス情報（終了アドレスＮ）が、夫々記憶されている。
【００８２】
なお、以下の本実施の形態の説明においては、特定の電話番号が２つある場合（本実施の形態では、その特定の電話番号を、「電話番号１」、「電話番号２」とする。）に、その特定の電話番号毎に、個別の着信メロディを対応させることにより、該着信メロディによって電話をかけてきた相手方を判別することができるものを、例に挙げて説明する。
【００８３】
まず、かかる特定の電話番号毎に、個別の着信メロディを対応させるように設定する、着信メロディの設定手順について、図７および図８により構成されるフローチャートに基づいて以下に説明する。まず、上述の第１の実施の形態で述べたのと同様な、着信メロディ選択モードとなっているか否かの判断を行う（ステップＳ１）。
【００８４】
このステップＳ１において、制御部３３によって着信メロディ選択モードとなっていると判断された場合（Ｙｅｓの場合）には、続いて電話帳データが存在するか否かの判断を行う（ステップＳ６０）。また、ステップＳ１において着信メロディ選択モードとなっていない場合（Ｎｏの場合）、またはステップＳ６０において電話帳データを有しないと判断された場合（Ｎｏの場合）には、以後の手順（ステップ）は実行せずに終了する。
【００８５】
ここで、ステップＳ６０における電話帳データは、車載用音響機器２０のメモリ４０の電話番号記憶エリア５３に記憶されているものである。しかしながら、他の部位に記憶されている電話帳データ（例えば、携帯電話端末１１と車載用音響機器２０とを接続し、これらの間でデータ通信を行える状況においては、携帯電話端末１１の電話帳データ等）を用いるようにしても良い。
【００８６】
ステップＳ６０において、電話帳データを有すると判断された場合（Ｙｅｓの場合）には、この後に、着信メロディを設定したい電話番号を、電話帳データの中から選択する（ステップＳ６１）。かかる選択後、制御部３３は、選択終了か否かを判断し（ステップＳ６２）、選択が終了したと判断された場合（Ｙｅｓの場合）には、続いて上述のステップＳ２へと進行する。また、ステップＳ６２において選択が終了していないと判断された場合（Ｎｏの場合）には、ステップＳ６１へと戻り、着信メロディを設定したい電話番号の選択を継続する。
【００８７】
なお、以後の着信メロディ設定における各手順は、上述の第１の実施の形態で述べたのと基本的に同様であり、順次ステップＳ３２までを実行する。それによって、特定の電話番号（例えば、「電話番号１」）に対する着信メロディの設定が終了する。なお、この第２の実施の形態では、ステップＳ３，Ｓ１１，Ｓ１２，Ｓ２１，Ｓ３０，Ｓ３１は、夫々電話番号に対応させたものとなる。
【００８８】
ここで、この第２の実施の形態では、特定の電話番号として、他の電話番号（例えば「電話番号２」等）に対する着信メロディの設定を行う場合も考慮する必要がある。そのため、再生停止を行うステップＳ１４と、着信メロディの設定が終了してソースを元に戻すステップＳ１５の間には、新たなステップＳ６３が存在する。すなわち、ステップＳ１４における再生停止を行った後に、制御部３３は、着信メロディの設定を継続するか否かの判断を行う（ステップＳ６３）。そして、この判断において、設定を継続すると判断した場合（Ｙｅｓの場合）には、再びステップＳ６１に戻り、新たに着信メロディを設定したい電話番号を選択する。そして、上述したような、以降の手順（ステップ）を継続する。
【００８９】
また、このステップＳ６３における判断において、制御部３３が、設定を継続しないと判断した場合（Ｎｏの場合）には、ステップＳ１５へと進んで、ソースを着信メロディ設定以前のものに戻し、その後、全ステップの進行を終了する。
【００９０】
なお、ステップＳ２２およびステップＳ３２におけるクリック回数のクリアが実行された後には、上述のステップＳ６３へと進行する。
【００９１】
次に、上述のようにして設定された着信メロディに基づき、着信メロディの再生を行うと共に、ハンズフリー通話を行う際の、ハンズフリー通話システムの動作について、図９および図１０により構成されるフローチャートに基づいて説明する。
【００９２】
以下の動作手順においても、特定の電話番号が２つ（「電話番号１」と「電話番号２」）ある場合を、例にとって説明する。しかしながら、特定の電話番号が３つ以上ある場合でも、ステップＳ８０のＮｏの場合から、ステップＳ９０に進行するまでの間に、「電話番号３」等のための判断のためのステップを「電話番号Ｎ」のＮ値が少ない順に順次設ける。そして、この判断ステップの後に、個別の「電話番号Ｎ」に対応させた、ステップＳ８１〜Ｓ８５と同様なステップを設ければ良い。
【００９３】
上述したように、メモリ４０の着信メロディ情報記憶領域４１には、複数の特定の電話番号に対応した、着信メロディに関する情報が記憶されている。そして、この情報に基づいて、夫々の電話番号に対応させた着信メロディを再生するものである。
【００９４】
まず、上述の第１の実施の形態と同様な事前設定を行う。その後、制御部３３は、携帯電話端末１１からの着信通知があるか否かの検出（判断）を行い（ステップＳ４０）、続いてこのステップＳ４０において、Ｙｅｓと判断された場合には、現在使用しているソースにおいて、再生しているソースに関する情報を、メモリ４０に記憶させる（ステップＳ４１）。また、ステップＳ４０において、Ｎｏと判断された場合には、ステップＳ４０における携帯電話端末１１からの着信通知があるか否かの判断を継続する。
【００９５】
次に、制御部３３は、メモリ４０へのソース情報の記憶の後に、電話が掛けられてきた相手方の電話番号が、「電話番号１」であるか否かを判断する（ステップＳ７０）。この判断においては、まず掛かってきた相手方の電話番号と、メモリ４０の電話番号記憶エリア５３に記憶されている「電話番号１」、「電話番号２」等の複数の特定の電話番号とを比較し、掛かってきた電話番号と「電話番号１」とが一致すれば、電話が掛けられてきた相手方が、電話番号１であると判断する。
【００９６】
このステップＳ７０において、「電話番号１」であると判断された場合（Ｙｅｓの場合）には、続いて、上述の第１の実施の形態と同様に、車載用音響機器２０のソースを、「電話番号１」に対応させてソース記憶エリア５４に記憶されているものに切り替える（ステップＳ７１）。
【００９７】
この後に、制御部３３は、切り替えられたソースにおいて、上述した「電話番号１」に対応させて開始アドレス記憶エリア５５に記憶されている開始アドレス情報に基づき、該ソースが有するメディア内の着信メロディの開始アドレスをサーチする（ステップＳ７２）。なお、このサーチも、上述の第１の実施の形態で述べたのと同様のものとなっている。
【００９８】
なお、以後の手順は、上述の第１の実施の形態で述べたのと同様のものであり、上述のステップＳ４４からステップステップＳ４９、およびステップＳ５０までを実行する。
【００９９】
また、ステップＳ７０において、「電話番号１」でないと判断された場合（Ｎｏと判断された場合）には、続いて「電話番号２」であるか否かの判断を行う（ステップＳ８０）。この判断において、「電話番号２」であると判断された場合（Ｙｅｓの場合）には、車載用音響機器２０のソースを、該「電話番号２」に対応付けてソース記憶エリア５４に記憶されているものに切り替える（ステップＳ８１）。
【０１００】
この後に、制御部３３は、切り替えられたソースにおいて、「電話番号２」に対応させて開始アドレス記憶エリア５５に記憶されている開始アドレス情報に基づき、該ソースが有するメディア内の着信メロディの開始アドレスをサーチする（ステップＳ８２）。そして、このステップＳ８２の後に、着信メロディの楽曲データの再生（ステップＳ８３）を行ない、続いて上述のステップＳ４５と同様なオンフック操作か否かの判断をする（ステップＳ８４）。この判断において、オンフック操作が為されていると判断された場合（Ｙｅｓの場合）には、続いて上述したステップＳ４６へと進行し、制御部３３は、車載用音響機器２０のソースを、オーディオ信号源３２から携帯電話端末１１に切り替える。
【０１０１】
また、ステップＳ８４において、オンフック操作が為されていないと判断された場合（Ｎｏの場合）には、上述のステップＳ５０と同様に、終了アドレスまで着信メロディの再生が終了したか否かを検出する（ステップＳ８５）。この検出において、再生が終了していると制御部３３において判断された場合（Ｙｅｓの場合）には、ステップＳ８２に戻る。また、終了アドレスまで着信メロディの再生が終了していないと判断された場合（Ｎｏの場合）には、ステップＳ８３に戻り、楽曲データの再生を継続する。
【０１０２】
また、ステップＳ８０において、「電話番号２」でないと判断された場合（Ｎｏの場合）には、特定の電話番号（「電話番号１」および「電話番号２」）ではないこととなる。この場合、制御部３３は、車載用音響機器２０のソースを、「電話番号１」および「電話番号２」以外の、その他の電話番号に対応させてソース記憶エリア５４に記憶されているソースに切り替える（ステップＳ９０）。ここで、その他の電話番号の場合、図６において、電話番号が「その他」の場合のソース記憶エリア５４におけるソース情報（ソースＮ）に基づいて、切り替えられる。
【０１０３】
次に、切り替えられたソース内において、その他の電話番号に対応させて開始アドレス記憶エリア５５に記憶されている開始アドレス情報（開始アドレスＮ）に基づき、該ソースが有するメディア内の着信メロディの開始アドレスをサーチする（ステップＳ９１）。そして、ステップＳ９１の後に、制御部３３は、上述のステップＳ４４、およびステップＳ８３と同様に、着信メロディの楽曲データの再生（ステップＳ９２）を行なう。
【０１０４】
続いて、制御部３３は、上述のステップＳ４５、ステップＳ８４と同様なオンフック操作か否かの判断をする（ステップＳ９３）。この判断において、オンフック操作が為されていると判断された場合（Ｙｅｓの場合）には、続いて上述したステップＳ４６へと進行し、車載用音響機器２０のソースを、オーディオ信号源３２から携帯電話端末１１に切り替える。
【０１０５】
また、オンフック操作が為されていないと判断された場合（Ｎｏの場合）には、上述のステップＳ５０、ステップＳ８５と同様に、終了アドレスまで着信メロディの再生が終了したか否かを検出する（ステップＳ９４）。この検出において、再生が終了していると制御部３３において判断された場合（Ｙｅｓの場合）には、ステップＳ９１に戻る。また、終了アドレスまで着信メロディの再生が終了していないと判断された場合（Ｎｏの場合）には、ステップＳ９２に戻り、楽曲データの再生を継続する。
【０１０６】
以上のような手順（ステップ）に基づいて、本発明の第２の実施の形態に係るハンズフリー通話システム１０は、着信メロディの設定がなされ、また着信時に動作する。
【０１０７】
このような構成のハンズフリー通話システム１０、かかる手順により実行されるハンズフリー通話システム１０における着信音の設定方法、およびかかる手順により再生されるハンズフリー通話システム１０における着信音の再生方法によれば、特定の電話番号毎に、着信メロディを設定することが可能となる。そのため、着信メロディを聞いただけで、誰から電話が掛かってきたのかを、即座に認識することが可能となる。
【０１０８】
そして、かかる認識に基づいて、電話をかけてきた特定の相手が重要な相手や緊急を要する相手からなのかを判断することができ、ユーザの利便性に供することが可能となる。また、かかる特定の電話番号に対する着信メロディの設定と共に、特定の電話番号以外の電話番号に対しては、その他の着信メロディを設定することが可能となる。そのため、その他の電話番号に対する着信メロディを聞くことにより、特に重要でない相手や緊急を要しない相手からの場合でも、かかる相手方をユーザが即座に認識することができる。
【０１０９】
また、特定の電話番号毎に着信メロディを設定することができるため、着信メロディに関するユーザのニーズに、より広く答えることができる。
【０１１０】
以上、本発明の各実施の形態について説明したが、本発明はこれ以外にも種々変形可能となっている。以下、それについて説明する。
【０１１１】
上述の各実施の形態では、携帯電話端末１１と車載用音響機器２０とを、コネクタ１３およびケーブル１４を介して接続する構成として説明しているが、携帯電話端末１１と車載用音響機器２０との接続はこれには限られるものではなく、無線で両者の間のデータ通信および指令を与えるようにしても良い。
【０１１２】
また、上述の実施の形態では、ハンズフリー通話システム１０として、車載用音響機器２０を用いる場合について説明しているが、少なくとも１つのソースを有するものであれば、本発明のハンズフリー通話システム１０は、車載用音響機器２０にのみ適用が限定されるものではない。例えば、一般家庭等で通常用いられる音響機器を用いて、本発明のハンズフリー通話システム１０を構成するようにしても良い。また、着信メロディの設定や、着信メロディの再生に関する部分については、ポータブル形式の音響機器を用いるようにしても良い。
【０１１３】
また、上述の第２の実施の形態では、着信メロディを、特定の電話番号に対応させて再生可能としたものについて説明している。しかしながら、着信メロディの設定はこれには限られず、例えば電話番号を一定のグループ（例えば、友人、家族、同僚等）毎に分類し、かかるグループ毎に、特有のソース、特有の楽曲を、着信メロディとして再生させるようにしても良い。
【０１１４】
また、上述の各実施の形態では、無線通話用装置を携帯電話端末１１として説明しているが、無線通話用装置は携帯電話端末１１これに限られるものではない。かかる無線通話装置の他の例としては、ＰＨＳ（Personal Handyphone System）端末、小型特定無線装置等がある。また、楽曲の中には、音楽のメロディ以外に、人の声、お寺の鐘、音入りまたは音無しの画像、ビデオ画像等が含まれる。なお、音無しの画像の場合は、着信メロディの音質向上とはならないが、サイレントモードを選択したときに有効となる。
【０１１５】
また、上述の各実施の形態では、携帯電話端末１１において、ハンズフリー通話を行うに際しての、着信メロディの再生に関して説明している。しかしながら、着信メロディの再生は、ハンズフリー通話を行う場合には限られず、例えば携帯電話端末１１がメールを受信した場合の着信メロディに関しても、上述したような着信メロディの設定、および着信メロディの再生を行っても良い。なお、この場合には、相手方との通話のための接続（通話）を確立する必要がないため、図５および図９における、オンフック操作以降の手順は不要となる。
【０１１６】
さらに、上述の各実施の形態では、着信メロディとして、一括して１つのソース、または特定の電話番号毎に１つのソースを用いるように設定し、着信があった場合にかかるソースに基づいて着信メロディを再生している。しかしながら、携帯電話端末１１に着信があった場合に、その１つの着信において複数のソースを組み合わせ、該組み合わされたものを着信メロディとして用いるようにしても良い。
【０１１７】
また、ユーザが特に着信メロディを設定しない場合に対応させて、車載用音響機器２０側で、デフォルトとして着信メロディをメモリ４０内に予め記憶している構成としても良い。また、ユーザが特に着信メロディを設定しない場合に対応させて、ハンズフリー通話システム１０が有するスピーカ２２から、携帯電話端末１１に予め設定されている着信メロディを出力するようにしても良い。
【０１１８】
さらに、上述の着信メロディの設定において、携帯電話端末１１への着信回数に応じて、再生される着信メロディが変わるように設定しても良い。かかる着信回数に応じて、着信メロディが変わるように設定する場合、特定の電話番号から電話がかかってきた場合に、着信回数に応じて着信メロディが変わるように設定しても良く、また特定の電話番号以外の電話番号から電話が掛かってきた場合に、着信回数に応じて着信メロディが変わるように設定しても良い。
【０１１９】
また、上述の各実施の形態では、着信メロディの再生に関して、ソースが有するメディア（ＣＤ等）に記憶されている楽曲を、着信メロディとして用いている。しかしながら、かかるメディアに記憶されている楽曲を着信メロディとして用いる場合、該着信メロディ自体をメモリ４０や車載用音響機器２０内に、または外部に設置されるハードディスク等の記憶部位に記憶させておくようにしても良い。また、ソースとしては、上述の場合以外に、例えば、ハードディスクを具備し、該ハードディスクに楽曲を蓄えることが可能な、いわゆるミュージックセラー機能（ミュージックサーバ機能）を具備するナビゲーション装置や車載用音響機器２０を用いる場合には、該ハードディスクをソース（オーディオ信号源３２）としても良い。
【０１２０】
さらに、上述の各実施の形態では、着信メロディの再生に関しては、単に再生するものとなっている。しかしながら、ＤＳＰ２８のプログラムメモリに記憶されているプログラムを変更し、例えば着信メロディに所定の処理を施して再生するようにしても良い。所定の処理の例としては、着信メロディのテンポを変更したり、音調を変更する等である。それによって、通常のメロディとの違いから、着信があったことを、即座に認識することができる。また、上述の各実施の形態では、ハンズフリー時のマイクとなるマイク装置２３が車載用音響機器２０に接続されているものとしたが、ハンズフリー時のマイクとして携帯電話装置１１に設定されているマイクを使用するようにしたり、携帯電話端末１１に接続されるマイクとしても良い。
【０１２１】
まあ、上述の第２の実施の形態では、電話番号の選択をし、ソースを記憶させ、着信メロディを選択させ、その着信メロディを記憶させるという一連のステップを何度も繰り返し行うことで、各電話番号に対応する着信メロディを設定するようにしている。しかしながら、複数の電話番号を一括して選択し、選択された複数の電話番号について夫々ソースを決め、次に各ソースについて着信メロディを電話番号に対応させて選択し、記憶させるというように、各ステップを複数の電話番号に関して決めていくというようにしても良い。
【０１２２】
また、ソースとなるものがオートチェンジャ中のＣＤまたはＭＤである場合、ソース記憶エリア５３，５４には、オートチェンジャまたはＣＤ再生装置またはＭＤ再生装置が記憶され、ＣＤやＭＤを特定する番号とその特定されたＣＤやＭＤ中の開始アドレスが設定されることとなる。また、時には、曲目を指定する番号と、その曲中の開始アドレスが開始アドレス記憶エリア５１，５５に記憶される場合もある。
【０１２３】
【発明の効果】
本発明によれば、着信メロディとして、無線通話用装置以外のソースを使用し、高音質な着信メロディを再生可能となる。また、無線通話用装置以外のソースを使用し、高音質な着信メロディを再生することができる。
【図面の簡単な説明】
【図１】本発明の第１の実施の形態および第２の実施の形態に係るハンズフリー通話システムの構成を示すブロック図である。
【図２】本発明の第１の実施の形態に係るハンズフリー通話システムにおけるメモリの内部記憶構成を示す図である。
【図３】本発明の第１の実施の形態に係るハンズフリー通話システムにおける着信メロディの設定方法の前半部分を示すフローチャートである。
【図４】本発明の第１の実施の形態に係るハンズフリー通話システムにおける着信メロディの設定方法の後半部分を示すフローチャートである。
【図５】本発明の第１の実施の形態に係るハンズフリー通話システムにおける着信メロディの再生およびハンズフリー通話の際の実行手順を示すフローチャートである。
【図６】本発明の第２の実施の形態に係るハンズフリー通話システムにおけるメモリの内部記憶構成を示す図である。
【図７】本発明の第２の実施の形態に係るハンズフリー通話システムにおける着信メロディの設定方法の前半部分を示すフローチャートである。
【図８】本発明の第２の実施の形態に係るハンズフリー通話システムにおける着信メロディの設定方法の後半部分を示すフローチャートである。
【図９】本発明の第２の実施の形態に係るハンズフリー通話システムにおける着信メロディの再生およびハンズフリー通話の際の実行手順の前半部分を示すフローチャートである。
【図１０】本発明の第２の実施の形態に係るハンズフリー通話システムにおける着信メロディの再生およびハンズフリー通話の際の実行手順の後半部分を示すフローチャートである。
【図１１】従来のハンズフリー通話システムにおけるハンズフリー通話の際の実行手順を示すフローチャートである。
【符号の説明】
１０…ハンズフリー通話システム
１１…携帯電話端末（無線通話用装置）
１２…接続用インターフェース
１３…コネクタ
１４…ケーブル
２０…車載用音響機器
２１…接続端子
２２…スピーカ
２３…マイク装置
２４，３１…増幅器
２５…セレクタ（着信メロディ再生制御手段の一部）
２７，２９…コーデック
２９…ＤＳＰ
３０…音量制御部
３２…オーディオ信号源（着信メロディ再生制御手段の一部）
３３…制御部（着信メロディ設定手段の一部、着信メロディ再生制御手段の一部、着信検知手段）
３４…操作スイッチ
４０…メモリ
４１…着信メロディ情報記憶領域（着信メロディ情報記憶手段の一部、着信メロディ再生制御手段の一部）
４２…バックアップ情報記憶領域
５０，５４…ソース記憶エリア
５１，５５…開始アドレス記憶エリア
５２，５６…終了アドレス記憶エリア
５３…電話番号記憶エリア
【図１】
2004201249.tif 000003
【図２】
2004201249.tif 000004
【図３】
2004201249.tif 000005
【図４】
2004201249.tif 000006
【図５】
2004201249.tif 000007
【図６】
2004201249.tif 000008
【図７】
2004201249.tif 000009
【図８】
2004201249.tif 000010
【図９】
2004201249.tif 000011
【図１０】
2004201249.tif 000012
【図１１】
2004201249.tif 000013